(57)【特許請求の範囲】
【請求項１】
複数の白度選択ボタンが設けられたコイン精米設備において、各白度選択ボタンに、その白度選択ボタンの白度に該当する白度のサンプル米とサンプル米写真とを収容する収容部を内部に設け、前記収容部には、サンプル米を収容する米収容部分と、サンプル米写真を収容する写真収容部分とが別個に設けられ、これらの米収容部分のサンプル米と写真収容部分のサンプル米写真とを切り換えて配置することで、サンプル米またはサンプル米写真の何れか一方を視認可能に構成したコイン精米設備における白度選択部構造。
【請求項２】
複数の白度選択ボタンが設けられたコイン精米設備において、各白度選択ボタンに対応させて、その白度選択ボタンの白度に該当する白度のサンプル米とサンプル米写真とを収容する収容容器を係止する係止手段をそれぞれ設け、前記収容容器には、サンプル米を収容する米収容部分と、サンプル米写真を収容する写真収容部分とが別個に設けられ、これらの米収容部分のサンプル米と写真収容部分のサンプル米写真とを切り換えて配置することで、サンプル米またはサンプル米写真の何れか一方を視認可能に構成したコイン精米設備における白度選択部構造。
【発明の詳細な説明】
【０００１】
【発明の属する技術分野】
本発明はコイン精米設備、特にコイン精米設備に設けられる白度選択関連部分の構造に関するものである。
【０００２】
【従来の技術】
コインや紙幣などの貨幣を投入することにより自動的に精米作業を行わせるコイン精米設備は知られている。図８に示すように、このコイン精米設備１は、利用客が玄米や籾米を張込ホッパ２に投入した状態で、貨幣の投入口３から貨幣を投入し、操作盤４に複数設けられている白度選択ボタン５などを選択して押すことにより、内蔵された精米機６などにより自動的に精米作業が行われ、精米された白米が白米ホッパ７に排出されるようになっている。
【０００３】
図９に示すように、各白度選択ボタン５には、それぞれ異なる白度の表示、例えば「標準」、「上白」、「７ぶ」、「５ぶ」という文字が記載されている。ここで、「上白」は、一般的な白度である「標準」よりも高い白度であり、「７ぶ」は「標準」よりも低い白度であり、「５ぶ」はさらに「７ぶ」よりも低い白度であることを意味している。なお、図９において、８は「もち米」選択用の米種類選択ボタンである。
【０００４】
【発明が解決しようとする課題】
しかしながら、上記従来のコイン精米設備においては、各白度選択ボタン５には、「標準」、「上白」、「７ぶ」、「５ぶ」の文字がそれぞれ記載されているものの、近年においては、精米しようとする客の中に、このような「上白」、「７ぶ」、「５ぶ」というような白度の意味を理解できない人が少なからずいる。このような客においては、誤った白度選択ボタン１を押してしまったり、白度を選択できることがわからずに、一律に「標準」の白度選択ボタン１を押してしまったりすることがあり、コイン精米設備における白度を選択できる機能を十分には発揮できないことがある。
【０００５】
本発明は上記課題を解決するもので、どのような客に対しても白度を容易に認識させることができ、適切な白度選択ボタンを選択させることができるコイン精米設備における白度選択部構造を提供することを目的とするものである。
【０００６】
【課題を解決するための手段】
上記課題を解決するために本発明の請求項１記載のコイン精米設備における白度選択部構造は、複数の白度選択ボタンが設けられたコイン精米設備において、各白度選択ボタンに、その白度選択ボタンの白度に該当する白度のサンプル米とサンプル米写真とを収容する収容部を内部に設け、前記収容部には、サンプル米を収容する米収容部分と、サンプル米写真を収容する写真収容部分とが別個に設けられ、これらの米収容部分のサンプル米と写真収容部分のサンプル米写真とを切り換えて配置することで、サンプル米またはサンプル米写真の何れか一方を視認可能に構成したものである。
【０００７】
請求項２記載のコイン精米設備における白度選択部構造は、複数の白度選択ボタンが設けられたコイン精米設備において、各白度選択ボタンに対応させて、その白度選択ボタンの白度に該当する白度のサンプル米とサンプル米写真とを収容する収容容器を係止する係止手段をそれぞれ設け、前記収容容器には、サンプル米を収容する米収容部分と、サンプル米写真を収容する写真収容部分とが別個に設けられ、これらの米収容部分のサンプル米と写真収容部分のサンプル米写真とを切り換えて配置することで、サンプル米またはサンプル米写真の何れか一方を視認可能に構成したものである。
【００１１】
これらの構成によれば、各白度選択ボタンに対応して収容されたサンプル米やサンプル米写真を客が見ることにより、その白度選択ボタンの意味する白度を容易に認識することができるので、誤った白度選択ボタンを押してしまったり、白度を選択できることがわからずに、一律に「標準」の白度選択ボタンを押してしまったりする従来の不具合の発生を防止することができる。
【００１７】
【発明の実施の形態】
以下、本発明の実施の形態にかかるコイン精米設備を図面に基づき説明する。なお、従来のコイン精米設備とは、白度選択部分およびその近傍箇所の構造のみが異なるため、この異なる箇所について説明する。
図１、図２に示すように、本発明の第１の実施の形態にかかるコイン精米設備においては、操作盤４に複数設けられている各白度選択ボタン５に、サンプル米１１を収容する収容部１２が内部に設けられており、この収容部１２には、その白度選択ボタン５の白度に該当する白度のサンプル米１１が収容されている。すなわち、各白度選択ボタン５は、少なくともその前面が透光性を有する材料で形成され、この前面に、「標準」、「上白」、「７ぶ」、「５ぶ」の文字がそれぞれ記載されているだけでなく、透光性を有する前面部を通して収容部１２に収容された、その白度選択ボタン５の白度に該当する白度のサンプル米１１、すなわち、白度が「標準」のサンプル米１１と、白度が「上白」のサンプル米１１と、白度が「７ぶ」のサンプル米１１と、白度が「５ぶ」のサンプル米１１とをそれぞれ外部から視認できるようになっている。
【００１８】
より具体的には、白度選択ボタン５は、操作盤４に対して爪部１４ａで取り付けられたボタン枠１４に、内枠部１５が前後に出退自在に配設されており、この内枠部１５の内部に収容部１２が設けられている。そして、内枠部１５の上面部に設けられている開閉蓋１５ａを開けて、各白度選択ボタン５にそれぞれ対応する白度のサンプル米１１が入れられている。また、全てのサンプル米１１は、精米し易い標準的な１種類の玄米を、各白度を選択した状態で精米したものからなっている。
【００１９】
また、各白度選択ボタン５や米種類選択ボタン８などに対応して表示ランプ９が設けられており、貨幣を投入すると、白度選択ボタン５を選択する前には、各白度選択ボタン５に対応する全ての表示ランプ９が点灯または点滅される一方、白度選択ボタン５に対する選択動作が行われた際には、選択された白度選択ボタン５に対応する表示ランプ９だけが点灯または点滅されて、客が選択した白度を良好に認識できるようになっている。
【００２０】
この構成によれば、これから精米しようとしている客は、各白度選択ボタン５を選択するに際して、各白度選択ボタン５の前面の白度を表わす表示文字を見るだけでなく、各白度選択ボタン５に対応して収容されたサンプル米１１を見ることになり、この結果、客は白度を表わす、「上白」、「７ぶ」、「５ぶ」の意味を知らない場合でも、白度の程度を容易に理解することができる。したがって、このような客に対して、従来のように、誤った白度選択ボタンを押してしまったり、白度を選択できることがわからずに、一律に「標準」の白度選択ボタンを押してしまったりするような不具合を発生することが防止される。この結果、客が望む白度を適切に選択させることができるとともに、コイン精米設備１における白度を選択できる機能を十分に発揮することができる。
【００２１】
また、「上白」、「７ぶ」、「５ぶ」の意味を理解している客に対しても、実際のサンプル米１１をその白度の程度に照らし合わせて見ることで、実際の精米具合を予め確認することができるため、安心感を与えることとなる。
次に、図３（ａ），（ｂ）は本発明の第２の実施の形態を示すものである。この実施の形態においては、内枠部１５の上部や横部にサンプル米１１を収容する収容部１６が設けられており、この収容部１６に、その白度選択ボタン５の白度に該当する白度のサンプル米１１が収容されている。
【００２２】
また、各白度選択ボタン５の前面は、収容部１６を含めて、透光性を有する材料で構成されているとともに、各白度選択ボタン５には表示ランプ１７がそれぞれ内蔵されている。そして、貨幣を投入すると、白度選択ボタン５を選択する前には、各白度選択ボタン５に対応する全ての表示ランプ１７が点灯または点滅される一方、白度選択ボタン５に対する選択動作が行われた際には、選択された白度選択ボタン５に対応する表示ランプ１７だけが点灯または点滅されて、客が選択した白度を良好に認識できるようになっている。
【００２３】
この構成によっても、これから精米しようとしている客は、各白度選択ボタン５を選択するに際して、各白度選択ボタン５の前面の白度を表わす表示文字を見るだけでなく、各白度選択ボタン５に収容されたサンプル米１１を見ることになり、この結果、客は白度を表わす、「上白」、「７ぶ」、「５ぶ」の意味を知らない場合でも、白度の程度を容易に理解することができ、従来のように、誤った白度選択ボタンを押してしまったり、一律に「標準」の白度選択ボタンを押してしまったりするような不具合を発生することが防止される。また、「上白」、「７ぶ」、「５ぶ」の意味を理解している客に対しても、実際のサンプル米１１をその白度の程度に照らし合わせて見ることで、実際の精米具合を予め確認することができるため、安心感を与えることとなる。
【００２４】
図４は本発明の第３の実施の形態を示すものである。この実施の形態においては、操作盤４における各白度選択ボタン５の近傍において、各白度選択ボタン５に対応させて、その白度選択ボタン５の白度に該当する白度のサンプル米１１を収容する収容部１８をそれぞれ設けて、各収容部１８に収容したサンプル米１１を視認可能に構成している。
【００２５】
この構成によっても、上記実施の形態と同様な作用効果を得ることができる。図５は本発明の第４の実施の形態を示すものである。この実施の形態においては、白度選択ボタン５の近傍に、各白度選択ボタン５に対応させて、係止手段としてのフック２０をそれぞれ取り付け、各フック２０に、その白度選択ボタン５の白度に該当する白度のサンプル米１１を入れた透明な収容袋１９などを係止させている。
【００２６】
この構成によっても上記実施の形態と同様な作用効果を得ることができ、さらにこの構成によれば、従来構成のコイン精米設備の操作盤４に、フック２０を取り付けるだけで済むため、従来構成のコイン精米設備で兼用することができるとともに、製造コストの増加も最小限に抑えることができる利点がある。また、このフック２０をボタン枠１４などに設ける（図示せず）ことも可能である。
【００２７】
なお、上記実施の形態においては、貨幣を投入すると、白度選択ボタン５を選択する前には、白度選択ボタン５に対応する表示ランプ９、１７が全て点灯または点滅し、白度選択ボタン５を選択した時点で、その選択した白度選択ボタン５に対応する表示ランプ９、１７だけが点灯するように構成した場合を述べたが、これに限るものではなく、貨幣の投入後で、白度選択ボタン５の選択前には、特に、白度選択ボタン５に対応する各表示ランプ９、１７を点灯または点滅させずに、白度選択ボタン５を選択した時点で、その選択した白度選択ボタン５に対応する表示ランプ９、１７だけを点灯させてもよい。また、第２〜第４の実施の形態において、白度選択ボタン５に表示ランプ１７を内蔵する代わりに、白度選択ボタン５の外部に、それぞれ対応する表示ランプを設けてもよい。
【００２８】
図６、図７は本発明の第５の実施の形態を示すものである。図６に示すように、この実施の形態にかかるコイン精米設備においては、操作盤２１において複数設けられている各白度選択ボタン２２に対応させて、その少し上方位置に米の形状をした窓部２３がそれぞれ形成され、この窓部２３を通して、収容部２６に収容されたサンプル米１１あるいはサンプル米写真２４を見ることができるようになっている。各サンプル米１１およびサンプル米写真２４は、各白度選択ボタン２２の白度に該当するものが対応して収容されている。
【００２９】
すなわち、図７に示すように、操作盤２１の裏面に取り付けられた棚部２５上には、箱型形状の収容部２６が配置され、この収容部２６は、係止カバー２７および取付ねじ２８を介して着脱自在とされている。そして、収容部２６にはその片面側にサンプル米１１を収容する米収容部分２６ａが設けられ、仕切壁３０を介して反対側に、サンプル米写真２４が入れられる写真収容部分２６ｂが設けられ、収容部２６の前後が逆になるように入れ替えることで、これらの米収容部分２６ａと写真収容部分２６ｂとを切り換えて、窓部２３から視認できるようになっている。なお、米収容部分２６ａの外面側には透明板２９が貼り付けられて、サンプル米１１がこぼれないようになっている。また、２６ｃは収容部２６の蓋部である。
【００３０】
この実施の形態によれば、上記実施の形態と同様な作用効果を得ることができるだけでなく、コイン精米設備の管理者などが、サンプル米１１またはサンプル米写真２４の何れかを選択して利用客に見せることができるので、利便性が向上する。つまり、サンプル米１１を長期間交換しないなど、サンプル米１１の外観が変化するおそれなどがある場合には、サンプル米写真２４の側を見せることにより、実際の精米した米とサンプル米１１とに食い違いを生じたり、サンプル米１１が不衛生となったりすることを防止でき、この場合には、もちろん、サンプル米１１を米収容部分２６ａに入れなくても差し支えない。
【００３１】
また、この実施の形態においては、サンプル米１１やサンプル米写真２４を視認できる窓部２３が米の形状をしているため、この箇所に設けられているサンプル米１１やサンプル米写真２４が目立つこととなって、視認性が向上するとともに、各白度選択ボタン２２の白度に該当するサンプル米１１やサンプル米写真２４であることを直感的に理解でき易くする利点を有する。
【００３２】
なお、上記の実施の形態においては、サンプル米１１とサンプル米写真２４とを切り換えて視認可能に構成したが、サンプル米写真２４だけを収納するようにしてもよく、このサンプル米写真２４を、白度選択ボタン２２とは別個の収容部２６に収容する代わりに、図１や図３に示す場合と同様に、白度選択ボタン自体やその近傍に収容したり、サンプル米写真２４を白度選択ボタンの白度に対応させた位置に係止させたりしてもよいことはいうまでもない。
【００３３】
また、これらの実施の形態においても、各白度選択ボタン２２に対応して選択表示ランプをそれぞれ設けたり、各白度選択ボタン２２に表示ランプをそれぞれ内蔵させて、白度選択ボタンに対する選択動作が行われた際に、選択された白度選択ボタンに対応する選択表示ランプを点灯または点滅させるように構成してもよいことはもちろんである。
【００３４】
また、上記実施の形態においては、白度の選択種類が４種類の場合を述べたが、すべての複数種類のものにおいて、適応できることは言うまでもない。
【００３５】
【発明の効果】
以上のように本発明によれば、各白度選択ボタンやその近傍に、その白度選択ボタンの白度に該当する白度のサンプル米やサンプル米写真を収容する空間を設けたり、サンプル米やサンプル米写真を収容する収容容器を係止する係止手段をそれぞれ設けたりして、各白度選択ボタン内のサンプル米やサンプル米写真を視認可能に構成することで、白度を表わす表示内容がわからない客に対しても、各白度選択ボタンに対応する白度の程度を容易に理解することができて、客が望む白度を適切に選択させることができるとともに、コイン精米設備における白度を選択できる機能を十分に発揮することができる。また、白度を表わす表示内容の意味を理解している客に対しても、実際のサンプル米やサンプル米写真をその白度の程度に照らし合わせて見ることで、実際の精米具合を予め確認することができるため、安心感を与えることとなる。
【図面の簡単な説明】
【図１】本発明の第１の実施の形態にかかるコイン精米設備における白度選択部としての操作盤の正面図である。
【図２】同コイン精米設備における白度選択ボタンの分解斜視図である。
【図３】（ａ），（ｂ）はそれぞれ、本発明の第２の実施の形態にかかるコイン精米設備における白度選択ボタンの概略的な正面図である。
【図４】本発明の第３の実施の形態にかかるコイン精米設備の操作盤の概略的な要部正面図である。
【図５】本発明の第４の実施の形態にかかるコイン精米設備の操作盤の概略的な要部正面図である。
【図６】本発明の第５の実施の形態にかかるコイン精米設備の操作盤の概略的な要部正面図である。
【図７】同実施の形態にかかるコイン精米設備の収納部の断面図である。
【図８】従来のコイン精米設備の正面図である。
【図９】同従来のコイン精米設備の操作盤の正面図である。
【符号の説明】
４、２１          操作盤
５、２２          白度選択ボタン
９、１７            表示ランプ
１１                サンプル米
１２、１６、１８、２６    収容部
１４                ボタン枠
１５                内枠部
２０                フック（係止手段）
２３                窓部
２４                サンプル米写真
２６                収容部
【図１】
0004159203.tif 000002
【図２】
0004159203.tif 000003
【図３】
0004159203.tif 000004
【図４】
0004159203.tif 000005
【図５】
0004159203.tif 000006
【図６】
0004159203.tif 000007
【図７】
0004159203.tif 000008
【図８】
0004159203.tif 000009
【図９】
0004159203.tif 000010